(57)【特許請求の範囲】
【請求項１】
磁気記録層を有し、送出側リールと巻取側リールとの間に掛け渡された写真フィルム上に記録された画像を測光して画像を読み取る画像読取装置において、
前記送出側リールに装填されたロール状の前記写真フィルムの先端を前記巻取側リールへ向けて案内し、案内された該写真フィルムの先端を巻取側リールに取り付けられた芯材へ係止することにより、該写真フィルムを搬送スタンバイ状態にするオートローディング手段と、
前記スタンバイ状態となった前記写真フィルムを往路で間欠搬送させ、復路で定速搬送させる搬送手段と、
前記写真フィルムの搬送を案内すると共に、往路における間欠搬送時に該写真フィルム上の画像を測光位置へ位置決めするキャリアと、
前記送出側リールと前記キャリアとの間に配置され、前記写真フィルムの送出側リールの芯材からの送出量と前記キャリアからの送出量との差を吸収するように搬送長を変更するリザーバ部と、
前記キャリアにおける前記測光位置よりも前記写真フィルム搬送方向上流側に備えられ、前記写真フィルムが前記キャリア上で間欠搬送するときに前記写真フィルムの磁気記録層から情報を読み取る磁気情報読取手段と、
前記キャリアに備えられ、往路での間欠搬送による測光が終了した前記写真フィルムの復路での定速搬送時に前記写真フィルムの磁気記録層に前記測光によって得られた情報を記録する磁気情報記録手段と、
を有する画像読取装置。
【請求項２】
磁気記録層を有する写真フィルムを送出側リールと巻取側リールとの間で引き出し又は巻き取るように搬送すると共に該写真フィルム上に記録された画像を測光して画像を読み取る画像読取装置において、
前記写真フィルムの所定の搬送経路に沿って予め配置され、その一端が巻取側リールに固定され、他端が送出側リール近傍に配置されて使用可能状態とされ、前記送出側リールに装填された写真フィルムと接合されて前記巻取側リールに巻き取られ、その後、前記写真フィルムが送出側リールに巻き戻されると当該写真フィルムが外されて再び使用可能状態とされる長尺部材と、
前記長尺部材の他端に備えられ、当該他端と送出側リールに装填された前記写真フィルムの先端部とを接離可能な接合部材と、
を有することを特徴とする画像読取装置。
【発明の詳細な説明】
【０００１】
【産業上の利用分野】
本発明は画像読取装置に係り、特に現像済みの写真フィルムの画像を測光して読み取り、露光演算結果を活用する画像読取装置に関する。
【０００２】
【従来の技術】
従来は、写真フィルム上の画像をスキャナで読み取りビデオカラーアナライザで露光補正データを得て、これをＬＳＩカード等に記録している。
【０００３】
しかし、写真プリントを要求する顧客には写真フィルムのみを返還するため、ＬＳＩカード等に記録された露光量等の露光補正データを活用することができないため、後日、再注文時にその情報を用いて露光を行うことができず、同時プリント時と同一の露光量で焼付けされた写真プリントを得ることができない場合がある。
【０００４】
これを改良するために、写真フィルムの磁気記録層に同時プリント時の露光補正データを記録しておき、再注文時にその情報を用いて露光することが提案されている。これを実現可能な画像読取装置には、２つのネガキャリアを備え、写真フィルムの搬送方向上流側に備えられたネガキャリアにおいて磁気記録を読み取り、読み取られた磁気データと測光とにより得られた露光補正データを、写真フィルムの搬送方向下流側に備えられたネガキャリアにおいて記録することができる装置がある。
【０００５】
しかし、再注文時に再利用することができる露光補正データは写真フィルム１件分の測光の後でないと決定できない。このため、上記の画像読取装置では、測光を行った後、測光値から得られる露光補正データを記録するまでの間に写真フィルム１件分の搬送長を設けることが必要となる。
【０００６】
また、このような画像読取装置に適用される写真フィルムは、ロール状の形態を採るため、先端部（リーダ部）を搬送経路に沿って通して行く方式では、先端部のカールや折れのためにジャム（詰まり）が発生しやすく、これを解消するために搬送路上にいくつかのガイドを配設する必要があった。
【０００７】
従って、この装置では２つのネガキャリア間で写真フィルムをためるスペースを確保するために画像読取装置が大きくなると共に搬送経路が複雑になり、写真フィルムが装填しにくく、また延長された搬送長を装置内部に設け、又はジャム解消のために搬送路上にガイドを配設することにより搬送部周りの構造が複雑化し、装置全体の小型化を図ることができないという欠点がある。
【０００８】
【発明が解決しようとする課題】
本発明は上記事実を考慮して成されたもので、写真フィルムをためておくために必要なスペースによって装置のサイズが大きくなることを防止し、ロール状写真フィルムの装填を確実且つ簡単に行うことができる画像読取装置を提供することを目的とする。
【０００９】
【課題を解決するための手段】
請求項１記載の画像読取装置は、磁気記録層を有し、送出側リールと巻取側リールとの間に掛け渡された写真フィルム上に記録された画像を測光して画像を読み取る画像読取装置において、前記送出側リールに装填されたロール状の前記写真フィルムの先端を前記巻取側リールへ向けて案内し、案内された該写真フィルムの先端を巻取側リールに取り付けられた芯材へ係止することにより、該写真フィルムを搬送スタンバイ状態にするオートローディング手段と、前記スタンバイ状態となった前記写真フィルムを往路で間欠搬送させ、復路で定速搬送させる搬送手段と、前記写真フィルムの搬送を案内すると共に、往路における間欠搬送時に該写真フィルム上の画像を測光位置へ位置決めするキャリアと、前記送出側リールと前記キャリアとの間に配置され、前記写真フィルムの送出側リールの芯材からの送出量と前記キャリアからの送出量との差を吸収するように搬送長を変更するリザーバ部と、前記キャリアにおける前記測光位置よりも前記写真フィルム搬送方向上流側に備えられ、前記写真フィルムが前記キャリア上で間欠搬送するときに前記写真フィルムの磁気記録層から情報を読み取る磁気情報読取手段と、前記キャリアに備えられ、往路での間欠搬送による測光が終了した前記写真フィルムの復路での定速搬送時に前記写真フィルムの磁気記録層に前記測光によって得られた情報を記録する磁気情報記録手段と、を有することを特徴としている。
【００１０】
請求項２記載の画像読取装置は、磁気記録層を有する写真フィルムを送出側リールと巻取側リールとの間で引き出し又は巻き取るように搬送すると共に該写真フィルム上に記録された画像を測光して画像を読み取る画像読取装置において、前記写真フィルムの所定の搬送経路に沿って予め配置され、その一端が巻取側リールに固定され、他端が送出側リール近傍に配置されて使用可能状態とされ、前記送出側リールに装填された写真フィルムと接合されて前記巻取側リールに巻き取られ、その後、前記写真フィルムが送出側リールに巻き戻されると当該写真フィルムが外されて再び使用可能状態とされる長尺部材と、前記長尺部材の他端に備えられ、当該他端と送出側リールに装填された前記写真フィルムの先端部とを接離可能な接合部材と、を有することを特徴としている。
【００１１】
【作用】
請求項１記載の画像読取装置によれば、送出側リールと巻取側リールとの間に掛け渡された写真フィルムを往路で間欠搬送してキャリア上の測光位置よりも上流側に備えられた磁気情報読取手段によって磁気記録層から情報を読み取った後に測光を行う。また写真フィルム上の磁気記録層を復路で定速搬送して同一キャリアに備えられた磁気情報記録手段により、測光によって得られた情報を記録する。
【００１２】
これにより、ロール状写真フィルム１巻分の画像に対する測光が全て終了した後に、搬送方向を反転して、復路において定速搬送して写真フィルム１巻分の測光により得られた情報を写真フィルムの磁気記録層に記録することができる。従って、少なくとも写真フィルム１件分の測光による情報を記録するまでに必要とされた時間差が、ロール状写真フィルム１巻分を先に測光することによって相殺され、写真フィルムの搬送長を変更することなく測光と測光による情報の記録とを１工程で行うことができる。また往路において測光し、測光が終了した写真フィルムに対して復路において磁気情報を記録するために、キャリアを１つにすることができ、装置構成を簡略化することができる。そのため、測光と測光により得られた情報の記録とを連続して行い、写真フィルムをためるスペースを設けないで写真フィルムを容易にスタンバイ状態にすると共に装置の小型化を図ることができる。また、部品数の減少によりメンテナンスにかかる手間を省くことができる。
【００１３】
請求項２記載の画像読取装置によれば、予め搬送経路上に沿って配置されて使用可能状態とされた長尺部材の一端に写真フィルムの先端を接合した状態で、送出側リールを写真フィルム巻取方向に回転すれば、写真フィルムは長尺部材に追従して所定の搬送経路に配置することができる。
【００１４】
また、処理が終了したとき（送出側リールに写真フィルムが殆ど全て巻き取られた状態）には、写真フィルムを送出側リールに巻き戻した状態で接合部材による長尺部材と写真フィルムとの接合を解除する。これにより、次の写真フィルムの処理のときに長尺部材を使用可能状態に維持しておくことができる。
【００１５】
従って、写真フィルムの先端部の形状の影響から先端部のみを搬送部に搬送させる際に生じることがあったジャム（詰まり）を解消することができる。また、写真フィルムをスタンバイ状態にするためのローラ等の搬送部周りの構造を単純化することができ、またジャム率を低下させてロール状写真フィルムの装填を確実且つ簡単にすることができる。
【００１６】
【実施例】
以下に図面を参照して、本発明の実施例を詳細に説明する。
【００１７】
図１及び図２には本発明が適用可能なスキャナ１０が示されている。ここで図１は、スキャナ１０の搬送部４２を中心とした概略全体図であり、図２はその概略構成図である。スキャナ１０には、測光専用の光源部２０と、ネガフィルム１２上に記録された画像の画像情報を読取解析するセンサ部３０と、ネガフィルム１２を搬送する搬送部４２とが備えられている。図２左側（図１では左上）に備えられた供給リール４４には、コアに沿って層状に巻き取られたネガフィルム１２が装填されている。このネガフィルム１２が搬送部４２を搬送し、搬送部４２途中に設けられたネガキャリア４８を通過して図２右側（図１では右上）に備えられた巻取リール４６に巻き取られるようになっている。
【００１８】
スキャナ１０に適用可能なネガフィルム１２は、図３に示されるように、長手方向に沿って所定間隔で画像が記録された多数の画像コマ１２Ａが設けられている。このネガフィルム１２は、図３に示されるネガフィルム１２が複数本接合されてロール状になったものである。このネガフィルム１２は、幅方向の所定の一端に各画像コマ１２Ａの位置に合わせてパーフォレーション１４が形成されており、これによるネガフィルム１２の表裏が判別すると共に、画像コマ１２Ａの位置を判別することができるようになっている。
【００１９】
それぞれのパーフォレーション１４の間で画像コマ１２Ａに隣接する位置には、磁気情報が記録される磁気トラック１６が設けられている。
【００２０】
この磁気トラック１６は、巻き取られた状態で外側となるネガフィルム１２の裏面に形成されており、各画像コマ１２Ａに記録された画像の撮影時の情報、プリント処理を行うときのプリントサイズ、露光条件等の種々の情報が記録される。なお、パーフォレーション１４と反対側の端部に設けられている磁気トラック１６には、主にカメラ等の撮影装置によって撮影時の情報が記録されている。またネガフィルム１２には、パーフォレーション１６が形成された側と反対側の端部にＤＸコードを示すバーコード１８が記録され、ネガフィルム１２を特定できるようになっている。
【００２１】
スキャナ１０に備えられた測光専用の光源部２０には、ハロゲンランプ、リフレクタによって構成される光源２２が備えられている。光源２２から照射される光線の光路Ｌに、Ｃ（シアン）、Ｍ（マゼンタ）、Ｙ（イエロー）の各色のカットフィルタ及び光量の調節に用いられるＮＤフィルタから構成されるフィルタ部２４が配設されている。フィルタ部２４の各フィルタは、ドライバ２６からの信号に応じて、光路Ｌ上へ挿入又は離脱する。
【００２２】
フィルタ部２４の図２下方の光路Ｌには、光拡散筒２８を挟んで後述するネガキャリア４８が配設されている。ネガキャリア４８は、長尺状のネガフィルム１２を所定位置に位置決めすると共に、搬送ローラ５２及びこれの対向する抑えローラ５４によって挟持するようになっている。また搬送ローラ５２は、供給リール４４から巻取リール４６へ向かう往路搬送時には間欠搬送を行い、巻取リール４６から供給リール４４へ向かう復路搬送時には定速搬送するようになっている。
【００２３】
ネガキャリア４８の図２下方の光路Ｌ上には、露光演算用センサ３２が配置されている。露光演算用センサ３２は２５６×２５６のマトリクス状に配列された画素から成るＣＣＤ素子により構成されている。露光演算用センサ３２は露光演算部３３に接続され、このＣＣＤ素子により撮像された画像のデータが演算されるようになっている。演算された露光値は、露光演算部３３に接続された情報処理部８０（図５参照）へ入力するようになっている。また、露光演算用センサ３２は、光源２２側にネガフィルム１２及びプリント用ペーパーの特性に合わせた図示しないフィルタを有している。
【００２４】
ネガキャリア４８と露光演算用センサ３２との間にはレンズ３４及びプリズム３６が配置されている。レンズ３４は、光路Ｌに沿って移動可能となっており、これにより引伸倍率を変更することができる。
【００２５】
プリズム３６は、ネガフィルム１２の透過画像を通過及び反射させるようになっている。反射された透過画像は、ビデオセンサ３８に到達するようになっている。ビデオセンサ３８は６４０×４８０画素のＣＣＤセンサによって構成されており、ネガフィルム１２上の画像を撮像するようになっている。また、ビデオセンサ３８は画像処理部３９を介してモニタ４０に接続され、このＣＣＤ素子により撮像された画像を、モニタ４０から入力された補正値により補正することができるようになっている。また、画像処理部３９は情報処理部８０に接続されており（図５参照）、補正された画像情報が情報処理部８０へ入力するようになっている。
【００２６】
次に図４を参照してネガキャリア４８を説明する。
搬送部４２に備えられたネガキャリア４８の中央部には、光源部２０の光軸Ｌが通過する位置に開口部５０が設けられ、光軸Ｌがネガキャリア４８を通過する際に開口部５０に位置決めされたネガフィルム１２の画像コマ１２Ａを透過して、センサ部３０に到達できるようになっている。また、ネガキャリア４８には、搬送路５６が配設されており、搬送路５６の幅寸法はネガフィルム１２の幅寸法に適合するようになっている。
【００２７】
ネガキャリア４８の開口部５０よりもネガフィルム１２の搬送方向上流側の搬送路５６上の幅方向両端部に、各々一対の読取ヘッド５８Ａ、５８Ｂが備えられている。読取ヘッド５８Ａ、５８Ｂは、搬送路５６上にネガフィルム１２が配置されて搬送されたときに、ネガフィルム１２の幅方向両側に設けられた磁気トラック１６（図３参照）と摺接して、磁気トラック１６に記録された磁気情報を読み取るようになっている。読取ヘッド５８Ａは画像コマ１２Ａの一方の磁気トラック１６に記録されている再注文の際に読み取る焼付情報を読み取り、読取ヘッド５８Ｂは、画像コマ１２Ａの他方の磁気トラックに記録されているカメラ情報を読み取るようになっている。
【００２８】
読取ヘッド５８Ａ、５８Ｂは、測光用の開口部５０に画像コマ１２Ａが位置決めされたとき、隣接する画像コマ１２Ａ間の間に配置される。これによりネガフィルム１２が画像コマ１２Ａの測光のために供給リール４４から巻取リール４６へ向けて（往路搬送）間欠搬送する場合には、測光終了後の１画像コマ分の搬送によって、１画像コマ分の磁気情報を読み取ることができるようになっている。
【００２９】
ネガキャリア４８の搬送路５６の略中央に記録ヘッド６０が配置されている。記録ヘッド６０は、読取ヘッド５８Ａと同一側の搬送路５６の端部に備えられ、記録ヘッド６０は情報処理部８０に接続されている（図５参照）。記録ヘッド６０はネガフィルム１２が復路搬送時において定速搬送するときに、ネガフィルム１２の磁気トラック１６と摺接して、測光により得られた露光補正データを記録するようになっている。これにより、往路において測光されて得られた露光補正データを記録ヘッド６０により記録し、記録されたデータは、再注文時に同一側に備えられた読取ヘッド５８Ａにより読み取り、再利用することができるようになっている。
【００３０】
ネガキャリア４８において、読取ヘッド５８Ａ、５８Ｂよりも更にネガフィルム搬送方向上流側の搬送路５６上には、複数のセンサ６２により構成されている光学センサ部６４が備えられている。これにより、ネガフィルム１２のスプライス部分を検出してネガフィルム１件分を特定し、ネガフィルム１２に形成されたパーフォレーション１４を検出して画像コマ１２Ａを特定すると共に、各々の画像コマ１２Ａを正確に開口部５０へ配置させるようになっている。また、センサ６２はネガフィルム１２上のバーコード１８を検出してネガフィルム１２を特定し、記録されている画像コマ１２Ａの画像濃度を測定して画像コマ１２Ａのサイズと先頭画像コマ１２Ａ及び最終画像コマ１２Ａを検出することができるようになっている。
【００３１】
開口部５０よりもネガフィルム１２の搬送方向下流側の搬送路５６上には、搬送ローラ５２が配置されており、対向する抑えローラ５４（図２参照）と共にネガフィルム１２を挟持して所定の搬送量で搬送するようになっている。搬送ローラ５２は、図示しない搬送制御部を介して情報処理部８０に接続されており、往路搬送時には画像コマ１２Ａが開口部５０に位置決めできるようにネガフィルム１２を間欠搬送し、復路搬送時には、１巻分のネガフィルム１２を定速搬送するようになっている。
【００３２】
これにより、ネガキャリア４８では、ネガフィルム１２が供給されると、往路時にネガフィルム１２を搬送ローラ５２により間欠搬送して画像コマ１２Ａを開口部５０に位置決めし、位置決めされた画像コマの画像に対して光源部２０からの光線による測光を行う。また、間欠搬送の際には他の画像コマ１２Ａについて光学センサ部６４により各種の光学情報を読み取ると共に読取ヘッド５８Ａ、５８Ｂにより磁気情報を読み取るようになっている。一方、復路時には巻取リール４６に回収された１巻のネガフィルム１２が搬送路５６上を定速搬送して、一定速度で記録ヘッド６０と摺接して磁気トラックに測光で得られた情報を記録するようになっている。
【００３３】
ネガフィルム１２を搬送する搬送部４２には、複数の固定ローラ６６と複数のリザーバローラ６８Ａ、６８Ｂとが備えられている（なお、図２では一部の固定ローラ６６は省略してあり、また各ローラの位置についても概略的に示されている）。
【００３４】
リザーバローラ６８Ａ、６８Ｂは、２つの固定ローラ６６間に各々配置される（図１参照）と共に図示しないローディング制御部に接続されており、ローディング制御部からの指示に従い、所定の移動路に従って位置を移動するようになっている。
【００３５】
リザーバローラ６８Ａは、供給リール４４とネガキャリア４８の間に配置され、移動路を一方から他方へ移動（図１において矢印Ｒで表示）する際にネガフィルム１２を押し出してリザーバ７０を形成し、供給リール４４のブレーキを制御するようになっている。また供給リール４４からのネガフィルム１２の送出量とネガキャリア４８での搬送量によって移動路を移動して、リザーバ７０の大きさを変更し、ネガフィルム１２に過度の張力がかからないようにしている。
【００３６】
一方、リザーバローラ６８Ｂは、ネガキャリア４８と巻取リール４６との間に配置され、移動路を一方から他方へ移動（図１において矢印Ｓで表示）する際にネガフィルム１２を押し出してリザーバ７２を形成し、巻取リール４６の動作可否を決定するようになっている。またネガキャリア４８からのネガフィルム１２の送出量と巻取リール４８へのネガフィルム１２の巻取量によって移動路を移動して、リザーバ７２の大きさを変更し、ネガフィルム１２に過度の張力がかからないようにしている。
【００３７】
これらのリザーバローラ６８は、全てオートローディング時には、所定の移動路の初期位置（図１において各々点線で表示）に配置している。ここでオートローディングとは、ネガフィルム１２を供給リール４４に装填した直後に、ネガキャリア４８において最初のネガフィルム１２の最初の画像コマ１２Ａを測光状態にするまでの所定の定速搬送をいう。
【００３８】
搬送部４２には、移動可能なオートローディング用搬送ローラ７４、７６が備えられ、供給リール４４にネガフィルム１２が装填されると、これを感知して対応する固定ローラ６６へ向かって所定の移動路を移動するようになっている。これにより、オートローディング用搬送ローラ７４、７６は、ネガフィルム１２が供給リール４４に装填されてネガフィルム１２の先端部が引き出されると、移動路を移動して固定ローラ６６と共にネガフィルム１２を挟持し、所定の定速搬送を行うようになっている。オートローディング用搬送ローラ７６は、リーダ巻付機構７８と一体化しており、オートローディング時に巻取リール４６に対するネガフィルム１２の巻取を補助するようになっている。
【００３９】
図５に示されるように、情報処理部８０はネガキャリア４８の読取ヘッド５８Ａ、５８Ｂ、露光演算部３３及び画像処理部３９に接続され、ネガフィルム１２上の画像コマ１２Ａに記録された画像の情報が入力するようになっている。また情報処理部８０はネガキャリア４８の記録ヘッド６０に接続され、読取ヘッド５８Ａ、５８Ｂにより磁気トラック１６から読み出されると共に測光により得られた画像の情報に基づく露光補正データを記録ヘッド６０へ出力するようになっている。情報処理８０には図示しないメモリが備えられ、測光により得られたネガフィルム１２の露光補正データを記憶することができるようになっている。これにより、ネガフィルム１２に記録された磁気情報を読み出すことができると共に、露光補正データを記録ヘッド６０により磁気トラック１６へ記録できるようになっている。
【００４０】
スキャナ１０には、図示しないローディング制御部が備えられ、ローディング制御部は、オートローディング用搬送ローラ７４、７６及びリザーバローラ６８Ａ、６８Ｂに接続されている。ローディング制御部は、供給リール４４にネガフィルム１２が装填されたことを感知すると、オートローディング用搬送ローラ７４、７６に対して所定の位置への移動を指示してオートローディングを開始するようになっている。一方オートローディング用搬送ローラ７４、７６の移動に所定時間遅れて、ネガフィルム１２が搬送を開始して固定ローラ６６の間にネガフィルム１２が巻き掛けられると、ローディング制御部はリザーバローラ６８に移動を指示してリザーバ７０、７２を形成させるようになっている。
【００４１】
次に本実施例の作用を、図６を参照して説明する。
スキャナ１０の一端に設けられた供給リール４４に長尺状の現像済みのネガフィルム１２を装填すると、ステップ１００において、ネガフィルム１２の先端を引き出し、オートローディング用搬送ローラ７４、７６が移動して対応する固定ローラ６６と共にオートローディングを開始する。オートローディングが開始されてネガフィルム１２が搬送し、固定ローラ６６の間を通過すると、ローディング制御部からの指示によりリザーバローラ６８が移動路を移動し、リザーバ７０、７２を形成する。
【００４２】
オートローディングによりネガフィルム１２が搬送し光学センサ部６４によって画像コマ１２Ａの位置を示すパーフォレーション１４が検出されると、ステップ１０２において、搬送ローラ５２によって間欠搬送が行われ、ステップ１０４において、画像コマ１２Ａに対応する磁気トラック１６上に記録された磁気情報の読取が指示される。
【００４３】
磁気情報の読取が行われると、ステップ１０６において、磁気情報を読み取られた画像コマ１２Ａをネガキャリア４８の開口部５０に位置決めして測光を行う。測光は、光源２２による画像コマ１２Ａ上の画像の透過画像を、露光演算用センサ３２及びビデオセンサ３８を介して各々露光演算部３３及び画像処理部３９に入力することによって行われる。これにより、適正な露光が行われるように露光補正値が演算される。
【００４４】
１画像コマ１２Ａに対する測光が完了すると、ステップ１０８において、１件分のネガフィルム１２の画像コマ１２Ａに対する測光が終了したか否かが判断される。１件分のネガフィルム１２に対する測光が終了していない場合には、判断は否定されてステップ１０６に戻り、次の画像の測光が行われる。
【００４５】
１件分のネガフィルム１２の画像コマ１２Ａに対する測光が終了すると、ステップ１１０において、読み取られた磁気情報及び測光の結果に基づいて、露光補正値が決定される。
【００４６】
１件分のネガフィルム１２の画像に対する露光補正値が決定されると、ステップ１１２において、供給リール４４に装填された１巻のネガフィルム１２における最後の画像コマ１２Ａに対する測光が完了したか否かが判断される。１巻のネガフィルム１２に対する測光が完了していない場合には、ステップ１０６に戻り、各画像コマ１２Ａに対する測光と、ネガフィルム１件分の露光補正値の演算が、１巻のネガフィルム１２に対して終了するまでに繰り返される。
【００４７】
１巻のネガフィルム１２に対して測光が終了した場合には判断は肯定されて、ステップ１１４に移行する。ステップ１１４では、最後の画像コマ１２Ａがネガキャリア４８の搬送路５６上の記録ヘッド６０を通過して、復路における定速搬送により画像コマ１２Ａの磁気トラック１６上を記録ヘッド６０が所定の速度で摺接できる記録可能位置までネガフィルム１２を搬送する。
【００４８】
記録可能位置までの搬送が完了すると、ステップ１１６において、最後の画像コマ１２Ａを含む１件分の露光補正値を記録するための準備が完了したか否かが判断される。最後の画像コマ１２Ａに対する露光補正値は、測光の直後に記録されることになるため、最初に記録が実行される画像コマ１２Ａが記録可能位置への搬送を完了したときに、対応するネガフィルム１２の露光補正値が決定されていない場合には判断は否定される。
【００４９】
ネガフィルム１２の記録可能位置までの搬送が完了し、記録する露光補正値が決定されると判断は肯定されると、ステップ１１８において、搬送方向の反転が指示され、ステップ１２０において復路搬送である定速搬送が指示されると、ネガフィルム１２がネガキャリア４８の搬送路５６上を定速搬送する。
【００５０】
定速搬送を開始すると、ステップ１２２において、各画像コマ１２Ａに対応する露光補正値の、記録ヘッド６０による磁気記録が指示される。
【００５１】
各画像コマ１２Ａに対する露光補正値の磁気記録が指示され、対応する磁気トラック１６への記録が行われると、ステップ１２４において、１巻のネガフィルム１２の最後の画像コマ１２Ａに対して対応する露光補正値が記録されたか否かが判断される。最後の画像コマ１２Ａに対する磁気記録が終了してない場合には判断は否定されてステップ１２２に戻り、各画像コマ１２Ａに対する磁気情報の記録が繰り返される。
【００５２】
最後の画像コマ１２Ａに対する露光補正値の磁気記録が終了すると、ステップ１２６において、１巻のネガフィルム１２が全て供給リール４４に回収されたか否かが判断される。１巻のネガフィルム１２が全て供給リール４４に回収された場合には判断は肯定された一連の処理を終了する。
【００５３】
これにより、１つのネガキャリア４８において、往路での間欠搬送による測光と復路での定速搬送による磁気記録とを行うことができ、装置自体の構成を簡略化すると共に露光演算結果等の露光補正情報を対応するネガフィルム１２に記録することによって再注文の際に活用することができる。
【００５４】
次の図７を参照して本実施例の変形例を説明する。
図７に示されるように、スキャナ２００は、図７右側に備えられた巻取リール９０に一端を固定された可撓性のローディングベルト９２を備えている。ローディングベルト９２は、巻取リール９０から引き出されて搬送部４６を通って、供給リール４４の手前に至る長さを有し、ローディングベルト９２の肉厚寸法は、ネガフィルム１２よりも大きく、ネガキャリア４８における搬送ローラ５２と抑えローラ５４とによって挟持可能な大きさになっている。
【００５５】
ローディングベルト９２の他端であって供給リール４４側の端部には、スキャナ１０の搬送部４６に搬送可能な大きさを有するクランパ９４が備えられ、供給リール４４に装填されたネガフィルム１２の先端部をクランプすることができるようになっている。
【００５６】
供給リール４４側に配置された固定ローラ６６に対向する位置に、固定ローラ６６と共にローディングベルト９２を挟持し、ローディングベルト９２の位置を固定するストッパ９６が配置している。これにより供給リール４４側に引き出されたローディングベルト９２の位置を固定するようにしている。ローディングベルト９２が搬送部４６上を移動するときには、固定ローラ６６とは反対側に所定の移動路を移動して、ローディングベルト９２に対する位置の固定を解除することができるようになっている。
【００５７】
これにより、予めローディングベルト９２をリザーバ７０、７２を含む搬送部４６を通過させ、ローディングベルト９２の供給リール４４側端部に備えられたクランパ９４でネガフィルム１２の先端部をクランプし、この状態のままで巻取リール９０への巻取を開始すると、ローディングベルト９２が搬送部４６を通過すると共にこれに追従してネガフィルム１２が搬送部４６を通過できるようになっている。
【００５８】
スキャナ２００の搬送部４６は、ネガキャリア４８の他に、前述のストッパ９４と複数の固定ローラ及びリザーバローラ６８Ａ、６８Ｂとから構成されている。リザーバローラ６８Ａ、６８Ｂは、供給リール４４及び巻取リール９０とネガキャリア４８との間にリザーバ７０、７２を形成し、リザーバ７０、７２を通過するネガフィルム１２に過度の張力がかからないように移動路を移動して調整している。本実施例では、ローディングベルト９２が予めリザーバ７０、７２を形成するように巻きかけられるので、ネガフィルム１２の肉厚方向にネガフィルム１２の搬送経路を横切るように移動する必要がない。
【００５９】
次に本実施例の作用を説明する。
一端を巻取リール９０に固定されたローディングベルト９２をリザーバ７０、７２を通過して、巻取リール９０からネガキャリア４８を経て供給リール４４近くまで引出すと、ストッパ９６が移動路を固定ローラ６６に向かって移動し、固定ローラ６６と共にローディングベルト９２を挟持して、ローディングベルト９２の位置を固定し、使用可能状態にする。
【００６０】
ローディングベルト９２が使用可能状態になると、供給リール４４からネガフィルム１２の先端部を引き出して、ローディングベルト９２の先端部に備えられたクランパ９４でネガフィルム１２の先端部をクランプする。
【００６１】
ネガフィルム１２の先端部をクランプしたローディングベルト９２は、クランプしたままで巻取リール９０への巻取りを開始する。
【００６２】
ローディングベルト９２は、通過した搬送部４６を戻りながら巻取リール９０に巻き取られる。これに伴ってローディングベルト９２の供給リール４４側先端部にクランプされたネガフィルム１２は、供給リール４４から搬送部４６へ引き出される。
【００６３】
ローディングベルト９２の巻取を完了すると、ローディングベルト９２の通過した搬送部４６を辿って巻取リール９０までネガフィルム１２が搬送部４６を通過し、そのまま巻取リール９０に巻き取られてスタンバイ状態となる。ここでネガフィルム１２は間欠搬送して、ネガキャリア４８において測光を行う。
【００６４】
ネガフィルム１２の測光が完了したときは、ネガフィルム１２の殆どが巻取リール９０に巻き取られている。各ネガフィルム１２に対応する全ての露光補正データが決定され、記録ヘッド６０によるネガフィルム１２の磁気トラック１６への記録が可能となると、ネガフィルム１２の搬送方向が反転して復路における定速搬送が行われ、露光補正データがネガフィルム１２の対応する画像コマ１２Ａに対して記録される。
【００６５】
巻取リール９０に巻き取られていたネガフィルム１２は、引き出されて復路を定速搬送して、ネガキャリア１２における記録ヘッド６０により磁気記録されながら供給リール４４へ巻き取られる。
【００６６】
ネガフィルム１２の定速搬送が終了すると、処理開始時にネガフィルム１２の先端部をクランプした箇所と略等しい位置で搬送が停止され、クランパ９６を外すことによって、ネガフィルム１２はローディングベルト９２から開放される。
【００６７】
これにより、オートローディングに必要となっていた各種のガイド等を使用することなく、ネガフィルム１２を搬送部４６に通すことができ、ネガフィルム１２のスキャナへの装填を容易にすると共に装置を簡略化することができる。また、ネガフィルム１２よりも肉厚なローディングベルト９２を用いることによりネガフィルム１２の先端部をローラ等により傷めることがなく、ジャム率を低下させてネガフィルム１２を確実に且つ簡単に搬送部４６を通すことができる。
【００６８】
なお、本実施例では、ローディングベルト９２の供給リール４４側先端部にネガフィルム１２の先端部をクランプしてローディングベルト９２とネガフィルム１２とを接合することができるクランパ９４を設けたが、これに限定されない。ローディングベルト９２とネガフィルム１２とを接合することができるものであれば、他のものであっても同様の効果を得ることができる。
【００６９】
例えば、ネガフィルム１２の先端部とローディングベルト９２の供給リール４４側先端部とに各々設けられ、これらを組み合わせることによってローディングベルト９２とネガフィルム１２の先端部とを接合する引掛け手段がある。これにより、搬送部４６内部での搬送中にローディングベルト９２とネガフィルム１２とが分離することを一層防止することができる。このような引掛け手段としてはフック部材を挙げることができる。
【００７０】
また、一方に突起部を設け他方に開口部を設けて、突起部を開口部に係止することによって接合可能にする係止手段を例示することができる。突起部とこれが通過可能な開口部とを各々有する２つの板材とその間に配設されたヒンジ部とから構成され、一方の板材の突起部に、ネガフィルム１２側に設けられた開口部と他の板材の開口部とを貫通させて係合状態を保持し、ネガフィルム１２とローディングベルト９２とを接合状態にする部材であってもよい。
【００７１】
更に、ネガフィルム１２の先端部が挿入可能な挿入孔を有し、挿入孔の内部に設けられると共に挿入物の引出し方向に対して摩擦圧が増大するような向きに配向した板バネを有し、挿入孔に挿入されたネガフィルム１２を板バネによって抑止することによってネガフィルム１２とローディングベルト９２とを接合する板バネ手段であってもよい。
【００７２】
この他の例としては、ネガフィルム１２を傷めることなく接着及び剥離することができる粘着性シールや接着剤等の接着手段を挙げることができる。これによりネガフィルム１２とローディングベルト９２とを張りつけることによって接合状態にすることができ、ネガフィルム１２に対して物理的に傷が付くことを防止することができる。またネガフィルム１２の画像コマ１２Ａ記録部分とローディングベルト９２とを超音波ウェルダ等を用いて化学的に接合状態にして確実な接合状態を保持するようにしてもよい。
【００７３】
【発明の効果】
以上説明したように本発明によれば、写真フィルムをためておくために必要なスペースによって装置のサイズが大きくなることを防止し、ロール状写真フィルムの装填を確実且つ簡単に行うことができる。
【図面の簡単な説明】
【図１】本実施例に係るスキャナの概略全体図である。
【図２】本実施例に係るスキャナの概略構成図である。
【図３】本発明に適用可能なネガフィルムの平面図である。
【図４】本実施例に係るネガキャリアの搬送路の周辺概略図である。
【図５】本実施例に係るスキャナのシステム構成概略図である。
【図６】本実施例に係るスキャナの測光及び磁気記録処理を示すフローチャートである。
【図７】本実施例に係る他のスキャナの概略全体図である。
【符号の説明】
１０  スキャナ（画像読取装置）
１２  ネガフィルム
４４  供給リール（送出側リール）
４６  巻取リール（巻取側リール）
４８  ネガキャリア（キャリア）
５２  搬送ローラ（搬送手段）
５８Ａ、５８Ｂ    読取ヘッド（磁気情報読取手段）
６０  記録ヘッド（磁気情報記録手段）
７８  リザーバローラ
７４、７６  オートローディング用搬送ローラ（オートローディング手段）
８０  情報処理部
９０  巻取リール（巻取側リール）
９２  ローディングベルト（長尺部材）
９４  クランパ（接合部材）
【図１】
0003604778.tif 000002
【図２】
0003604778.tif 000003
【図３】
0003604778.tif 000004
【図４】
0003604778.tif 000005
【図５】
0003604778.tif 000006
【図６】
0003604778.tif 000007
【図７】
0003604778.tif 000008